(57)【要約】【課題】部品コストを抑え、組立工数が少なく行うことができる観音開き式の冷蔵庫の扉の構造を提供する。【解決手段】観音開き式の左右一対の扉２８，３０を有する冷蔵庫１０において、左扉２８に操作パネル５６と、回転仕切り体５８と、扉開スイッチ６４を設け、これら各電気部品の配線コード７０，７２，７４を集中して配線する。【選択図】      図１
2004333069.tif 000002
【特許請求の範囲】
【請求項１】
冷蔵庫のキャビネットにある貯蔵室の開口部に観音開き式の左右一対の扉が設けられ、前記キャビネットに制御部が設けられた冷蔵庫において、
前記左右一対の扉のうちの一方の扉にのみ複数の電気部品を集中して設け、
前記複数の電気部品と前記制御部とをそれぞれ接続する配線コードを前記一方の扉のヒンジ部を介して前記キャビネットへ配線する
ことを特徴とする冷蔵庫。
【請求項２】
前記一方の扉の前面には、前記冷蔵庫の操作パネルが設けられ、
また、前記一方の扉の側部には、前記他方の扉と扉閉状態でシール状態を維持する仕切り体が設けられ、
前記電気部品が、前記操作パネルと、前記仕切り体の内部に設けられた結露防止ヒータである
ことを特徴とする請求項１記載の冷蔵庫。
【請求項３】
前記キャビネットの天井面には、前記左右一対の扉のうち少なくとも一つの扉を開状態にする扉開手段が設けられ、
また、前記扉開手段を動作させるための扉開スイッチが前記一方の扉の前面に設けられ、
前記電気部品が、前記扉開スイッチである
ことを特徴とする請求項２記載の冷蔵庫。
【発明の詳細な説明】
【０００１】
【発明の属する技術分野】
本発明は、観音開き式の左右一対の扉を有する冷蔵庫に関するものである。
【０００２】
【従来の技術】
近年販売される冷蔵庫においては、冷蔵室の開口部を左右一対の扉によって開閉する、いわゆる観音開き式の扉を有する冷蔵庫がある。
【０００３】
このような冷蔵庫においては、左側の扉の側部には、扉閉状態で左右一対の扉の隙間をシールする仕切体が設けられ、また、右側の扉の前面には、その冷蔵庫を操作するための操作パネルが設けられている（特許文献１）。
【０００４】
【特許文献１】
特開２００２−２０６８５４
【０００５】
【発明が解決しようとする課題】
上記の冷蔵庫においては、仕切体の内部に結露防止ヒータが設けられ、また、その冷蔵庫の制御部は冷蔵庫の本体であるキャビネットに設けられている。
【０００６】
そのため、キャビネットにある制御部から結露防止ヒータへ向かう配線コードは、左側の扉のヒンジ部を介して配線され、右側の扉にある操作パネルへの配線コードは右側の扉のヒンジ部を介して配線されている。
【０００７】
このようにキャビネットからの配線が、左側の扉と右側の扉にそれぞれ配線をする必要があるため、上記の冷蔵庫では部品点数が増えて部品コストが高くなるとともに、組立工数が増えるという問題点がある。
【０００８】
そこで、本発明は上記問題点に鑑み、部品コストを抑え、組立工数が少なく行うことができる観音開き式の冷蔵庫の扉の構造を提供するものである。
【０００９】
【課題を解決するための手段】
請求項１の発明は、冷蔵庫のキャビネットにある貯蔵室の開口部に観音開き式の左右一対の扉が設けられ、前記キャビネットに制御部が設けられた冷蔵庫において、前記左右一対の扉のうちの一方の扉にのみ複数の電気部品を集中して設け、前記複数の電気部品と前記制御部とをそれぞれ接続する配線コードを前記一方の扉のヒンジ部を介して前記キャビネットへ配線することを特徴とする冷蔵庫である。
【００１０】
請求項２の発明は、前記一方の扉の前面には、前記冷蔵庫の操作パネルが設けられ、また、前記一方の扉の側部には、前記他方の扉と扉閉状態でシール状態を維持する仕切り体が設けられ、前記電気部品が、前記操作パネルと、前記仕切り体の内部に設けられた結露防止ヒータであることを特徴とする請求項１記載の冷蔵庫である。
【００１１】
請求項３の発明は、前記キャビネットの天井面には、前記左右一対の扉のうち少なくとも一つの扉を開状態にする扉開手段が設けられ、また、前記扉開手段を動作させるための扉開スイッチが前記一方の扉の前面に設けられ、前記電気部品が、前記扉開スイッチであることを特徴とする請求項２記載の冷蔵庫である。
【００１２】
請求項１の冷蔵庫であると、左右一対の扉のうちの一方の扉にのみ複数の電気部品を集中して設け、制御部からの配線コードを一方の扉のヒンジ部のみを介して配線することにより、部品点数を少なくすることができ、組立工数も削減することができる。
【００１３】
例えば、電気部品が操作パネルや仕切り体の内部に設けられた結露防止ヒータであると、これら電気部品に接続される配線コードを一方の扉のヒンジ部のみを介して配線することができる。
【００１４】
また、扉開手段を動作させるための扉開スイッチの配線も、扉開手段を一方の扉の前面に設けることにより、その配線のための組立工数や部品を削減することができる。
【００１５】
【発明の実施の形態】
以下、本発明の一実施形態の冷蔵庫１０について、図１〜図６に基づいて説明する。
【００１６】
図１は扉閉状態の冷蔵庫１０の正面図であり、図２は扉開状態の冷蔵庫１０の平面図であり、図３は冷蔵庫１０の縦断面図であり、図４は扉閉状態の冷蔵庫１０の斜視図であり、図５は開扉状態の冷蔵庫１０の斜視図であり、図６は冷蔵庫の電気的な構成を示すブロック図である。
【００１７】
（１）冷蔵庫１０の構造
冷蔵庫１０の本体であるキャビネット１２は、図２及び図３に示すように、上段から冷蔵室１４、野菜室１６、庫内設定温度を切り換えることができる切替室１８、冷凍室２０とより構成され、また、切替室１８の左側には製氷室２２が設けられている。さらに、冷凍室２０の背面側には、圧縮機２４を配置するための機械室２６が設けられている。
【００１８】
冷蔵室１４の開口部を覆うために、観音開き式の左右一対の扉２８，３０が設けられている。また、野菜室１６、切替室１８、冷凍室２０、製氷室２２にはそれぞれ引き出し式の扉３２，３４，３６，３８が設けられている。
【００１９】
野菜室１６の背面には、冷蔵室１４と野菜室１６とを冷却するための冷蔵用蒸発器（以下、単にＲエバという）４０が配され、このＲエバ４０の上方には、冷蔵用送風機（以下、Ｒファンという）４２が配備されている。
【００２０】
図３に示すように、切替室１８及び冷凍室２０の背面には、切替室１８、冷凍室２０、製氷室２２を冷却するための冷凍用蒸発器（以下、Ｆエバという）４４が配され、このＦエバ４４の上方には冷凍用送風機（以下、Ｆファンという）４６が配され、Ｆエバ４４の下方には、このＦエバ４４を除霜するための除霜ヒータ４８が配されている。
【００２１】
図３に示すように、野菜室１６の背面には、この冷蔵庫１０を制御するためのマイクロコンピュータよりなる制御部５０が配されている。
【００２２】
（２）左右一対の扉２８，３０の構造
次に、冷蔵室１４の左右一対の扉２８，３０について説明する。
【００２３】
上記したように、左右一対の扉２８，３０は観音開き式であり、左側の扉（以下、左扉という）２８は、左側部にヒンジ部（以下、左ヒンジ部という）５２を有し、右側の扉（以下、右扉という）３０は、右側部にヒンジ部（以下、右ヒンジ部という）５４を有している。
【００２４】
左扉２８の左ヒンジ部５２の構造について説明する。
【００２５】
左ヒンジ部５２は、ヒンジ軸とヒンジ受け部とよりなり、また、左扉２８の左端部の上面及び下面にそれぞれ軸孔が開口している。上下一対の板状のヒンジ受け部がキャビネット１２の天井面の左前端部と、冷蔵室１４の下端の左端部にそれぞれ設けられ、これら上下一対のヒンジ受け部からそれぞれヒンジ軸が突出している。そして、これら上下一対のヒンジ軸に前記左扉２８の軸孔が係合して、左扉２８が回動自在となる。
【００２６】
また、左扉２８の左端部の上部にある軸孔に係合しているヒンジ軸は円筒状をなし、軸孔とヒンジ軸の内部に、後から説明する配線コード７０，７２，７４が挿通され、ヒンジ受け部の上部にある開口部から引き出されている。
【００２７】
右扉３０の右ヒンジ部５４も同様の構成を有するが、左扉２８のヒンジ軸のように、円筒状ではなく、ヒンジ軸はシャフト形状となっている。
【００２８】
左扉２８の前面には、この冷蔵庫を操作するための液晶表示装置と操作スイッチとを有した操作パネル５６が設けられている。また、左扉２８の右側部には、扉閉状態で、右扉３０とのシール状態を保持するための回転仕切り体５８が設けられている。この回転仕切り体５８の内部には、結露を防止するための結露防止ヒータ６０が内蔵されている。さらに、左扉２８の下部には、左扉２８を開閉させるための左ハンドル６２が設けられ、この左ハンドル６２の表面には、タッチパネル式の扉開スイッチ６４が設けられている。
【００２９】
右扉３０には、前記左ハンドル６２と対称な位置に右ハンドル６６が設けられている。
【００３０】
キャビネット１２の天井面の中央部には、右扉３０の上部を押圧して扉開状態にするための扉開装置６８が設けられている。この扉開装置６８は、左ハンドル６２に設けられている扉開スイッチ６４を操作すると、扉開装置６８にあるソレノイドに電気が流れ、棒状の押圧部材が突出して、右扉３０の上部にある受け部を押圧して、右扉３０を自動的に開状態にする。制御部５０から扉開装置６８への配線コード７７は、キャビネット１２の天井面に配されている。
【００３１】
上記したように、操作パネル５６、回転仕切り体５８の結露防止ヒータ６０、扉開スイッチ６４は、左扉２８に集中的に配置されている。また、操作パネル５６から延びる４本の配線コード７０と、結露防止ヒータ６０から延びる２本の配線コード７２と、扉開スイッチ６４から延びる２本の配線コード７４は、図１に示すように、左扉２８内部をそれぞれ通って、左ヒンジ部５２の円筒状のヒンジ軸に挿通され、ヒンジ受け部から引き出される。図２に示すように、この引き出された各配線コード７０，７２，７４の先端部は、コネクタ８０が取り付けられ、キャビネット１２の背面に設けられた制御部５０から延びる配線コード７６の先端に設けられているコネクタ８２とキャビネット１２の天井面の前側左端部で接続される。これらコネクタ８２，８４は左ヒンジカバー７８によって覆われている。
【００３２】
なお、扉開装置６８は、右扉３０のみを開ける構造であるが、左扉２８も開けるように、もう１つ扉開装置を設けてもよい。
【００３３】
（３）冷蔵庫１０の電気的構成
次に、図６に基づいて、冷蔵庫１０の電気的な構成について説明する。
【００３４】
図６に示すように、制御部５０には、圧縮機２４、扉開装置６８、扉開スイッチ６４、操作パネル５６、結露防止ヒータ６０、製氷室内部の製氷装置８４、Ｒファン４２、Ｆファン４６、除霜ヒータ４８が接続され、制御部５０によって制御される。これら制御信号は、全て直流電源からの信号によって行っている。また、制御部５０からは、アース線が延び、左ヒンジ部５２の金属製のヒンジ受け部に接続されている。
【００３５】
（４）本実施形態の効果
上記構成の冷蔵庫１０であると、操作パネル５６、結露防止ヒータ６０、扉開スイッチ６４が左扉２８に集中して配置されているため、それらの配線７０，７２，７４を容易に行うことができて組み立て工数が減り、また、部品点数の削減を行うこともできコスト削減となる。
【００３６】
また、操作パネル５６、扉開スイッチ６４、結露防止ヒータ６０は全て直流電源により動作するため、互いにノイズ等によって干渉しあって誤動作を起こすことはなく、集中して配線することができる。
【００３７】
（変更例）
上記実施形態では、左扉２８に各電気部品を集中して設けたが、これに代えて右扉３０に集中して電気部品を配置してもよい。
【００３８】
また、上記実施形態では扉開スイッチ６４と扉開装置６８を設けたが、この扉開スイッチ６４と扉開装置６８を設けず、ユーザーが手動で扉を開状態にする冷蔵庫１０であってもよい。
【００３９】
さらに、結露防止ヒータ６０を交流電源で動作させ、他の電気部品を直流電源で動作させてもよい。
【００４０】
【発明の効果】
以上により、本発明の冷蔵庫であると、観音開き式の扉の一方の扉に集中して電気部品を設けているため、配線が容易となって組立工数が減り、部品点数を減らすことによりコスト削減となる。
【図面の簡単な説明】
【図１】本発明の一実施形態の扉閉状態の冷蔵庫の正面図である。
【図２】同じく扉開状態の冷蔵庫の平面図である。
【図３】同じく冷蔵庫の縦断面図である。
【図４】同じく扉閉状態の冷蔵庫の斜視図である。
【図５】同じく扉開状態の冷蔵庫の斜視図である。
【図６】同じく冷蔵庫のブロック図である。
【符号の説明】
１０  冷蔵庫
１２  キャビネット
１４  冷蔵室
２８  左扉
３０  右扉
５０  制御部
５２  左ヒンジ部
５６  操作パネル
５８  回転仕切り体
６０  結露防止ヒータ
６２  左ハンドル
６４  扉開スイッチ
６８  扉開装置
７０  配線コード
７２  配線コード
７４  配線コード
７６  配線コード
【図１】
2004333069.tif 000003
【図２】
2004333069.tif 000004
【図３】
2004333069.tif 000005
【図４】
2004333069.tif 000006
【図５】
2004333069.tif 000007
【図６】
2004333069.tif 000008